(57)【要約】【課題】装置内の喫煙者が装置外部の状況を認識可能な分煙装置を提供する。【解決手段】禁煙区域と喫煙区域とを分割する分煙装置１であって、上下が開放された筒状に形成され、該筒状内を喫煙区域とする喫煙空間を画成すると共に、その上方パネル１１ａ，１２ａに透明板１８が設けられた側壁部１０と、内部に清浄空間が画成されて喫煙空間の上端面を覆うように設けられる清浄部２０であって、喫煙空間内の空気を清浄空間に吸引する吸気口２０ｂと、該吸気口２０ｂから吸引された空気を清浄するフィルタ部２２と、該フィルタ部２２により清浄された空気を清浄空間外へ排出する排気口２０ａとを有する清浄部２０と、を備えた。【選択図】図１
2019090564.tif 000002
【特許請求の範囲】
【請求項１】
禁煙区域と喫煙区域とを分割する分煙装置であって、
上下が開放された筒状に形成され、該筒状内を前記喫煙区域とする喫煙空間を画成すると共に、その上方部分に光透過部材が設けられた側壁部と、
内部に清浄空間が画成されて前記喫煙空間の上端面を覆うように設けられる清浄部であって、前記喫煙空間内の空気を前記清浄空間に吸引する吸気口と、該吸気口から吸引された空気を清浄するフィルタ部と、該フィルタ部により清浄された空気を前記清浄空間外へ排出する排気口とを有する前記清浄部と
を備えることを特徴とする分煙装置。
【請求項２】
前記側壁部は、前記上方部分と該上方部分の下方に位置する下方部分とが少なくとも２分割可能に連結されている
ことを特徴とする請求項１記載の分煙装置。
【請求項３】
前記側壁部は、ドアと、該ドアに対向して設けられた背面パネルと、前記ドア及び背面パネルそれぞれの両端部に設けられた対向する一対の側面パネルとを有して矩形に形成され、該一対の側面パネルの上方部分に前記光透過部材としての透明板が設けられる
ことを特徴とする請求項１または請求項２記載の分煙装置。
【発明の詳細な説明】
【技術分野】
【０００１】
本発明の実施形態は、公共、私設の場所や施設等の室内空間を禁煙区域と喫煙区域とに分割する分煙対策のための装置に関する。
【背景技術】
【０００２】
従来、公共、私設の場所や施設等において室内空間を禁煙区域と喫煙区域とに分割するための分煙対策が推進されている。
【０００３】
例えば、特許文献１では、内部に喫煙空間を画成すると共に喫煙空間の側方を包囲する側壁と、喫煙空間の上部を画成する天井と、天井または側壁上部に設けられた煙排気口とを備え、喫煙空間の収容定員は一名となっており、側壁が室内床面から離隔した状態で側壁の一部が室内壁に固定されて装置全体が室内壁に支持されることを特徴とする壁付けパーソナル分煙装置を提案している。
【０００４】
しかしながら、上述の壁付けパーソナル分煙装置には、設置場所に予め排気口が設けられている必要があるために、排気口が設けられていない室内空間に設置することができない、という問題があった。この問題を解決する技術として、下記特許文献２記載の分煙装置が知られている。この分煙装置は、喫煙区域としての喫煙空間の側方を包囲する側壁部と、内部に清浄空間を画成するように箱状に形成され、吸気口及び排気口が底面に設けられ、側壁部の上方に配置される清浄部と、清浄空間から吸引した空気を排気口から下方の喫煙空間へ送風する送風部と、吸気口から上方の清浄空間へ吸引される空気を清浄するフィルタ部と、排気口から排出された空気を吸気口側へ案内する第１案内部と、第１案内部により案内された空気を吸気口へ案内する第２案内部とを備えることにより、排気口が設けられていない室内空間にも設置可能となっている。
【先行技術文献】
【特許文献】
【０００５】
【特許文献１】特開２０１３−２４５４４０号公報
【特許文献２】特開２０１７−９６５６２号公報
【発明の概要】
【発明が解決しようとする課題】
【０００６】
しかしながら、上述した分煙装置は、四方が側壁及びドアにより画成された喫煙空間内に喫煙者が入ることとなるため、喫煙者の視界は外部から遮断された状態となる。そのため、分煙装置の外部の状況、例えば侵入者の存在や幼児の誤飲等を認識することができないという問題があった。
【０００７】
本発明は、上述した問題点を解決するためになされたものであり、装置内の喫煙者が装置外部の状況を認識可能な分煙装置を提供することを目的とする。
【課題を解決するための手段】
【０００８】
上記課題を解決するために、本発明の一態様は、禁煙区域と喫煙区域とを分割する分煙装置であって、上下が開放された筒状に形成され、該筒状内を前記喫煙区域とする喫煙空間を画成すると共に、その上方部分に光透過部材が設けられた側壁部と、内部に清浄空間が画成されて前記喫煙空間の上端面を覆うように設けられる清浄部であって、前記喫煙空間内の空気を前記清浄空間に吸引する吸気口と、該吸気口から吸引された空気を清浄するフィルタ部と、該フィルタ部により清浄された空気を前記清浄空間外へ排出する排気口とを有する前記清浄部とを備える。
【発明の効果】
【０００９】
本発明によれば、装置内の喫煙者が装置外部の状況を認識可能な分煙装置を実現できる。
【図面の簡単な説明】
【００１０】
【図１】実施形態に係る分煙装置の構成を示す概略正面図である。
【図２】分煙装置の構成を示す概略側面図である。
【図３】分煙装置が備える側壁部の構成を示す概略平面図である。
【図４】分煙装置が備える側壁部及び清浄部の構成を示す概略縦断面図である。
【図５】清浄部の構成を示す横断面図である。
【図６】清浄部が備える送風部の構成を示す概略斜視図である。
【図７】清浄部が備えるフィルタ部の構成を示す概略斜視図である。
【発明を実施するための形態】
【００１１】
以下、本発明の実施形態について図面を参照しつつ説明する。なお、本明細書及び図面において、実質的に同一の機能構成を有する構成要素については、同一の符号を付することにより重複説明を省略する。
【００１２】
（分煙装置の構成）
【００１３】
まず、図１〜図５を参照して、本実施形態に係る分煙装置の構成を説明する。図１は、実施形態に係る分煙装置の構成を示す概略正面図である。図２は、分煙装置の構成を示す概略側面図である。図３は、分煙装置が備える側壁部の構成を示す概略平面図である。図４は、分煙装置が備える側壁部及び清浄部の構成を示す概略縦断面図である。図５は、清浄部の構成を示す概略横断面図である。なお、各図におけるｘ軸は分煙装置の左右方向を示し、ｙ軸は分煙装置の前後方向を示し、ｚ軸は上下方向を示す。
【００１４】
図１及び図２に示す本実施形態に係る分煙装置１は、禁煙区域と喫煙区域とを分割するべき室内に設置されて喫煙区域としての喫煙空間を画成する。分煙装置１は、喫煙空間の側方を包囲する側壁部１０と、当該側壁部１０の上方に設けられ、側壁部１０に着脱自在な清浄部２０とを備える。また、分煙装置１は、全体として底面が開口された直方体箱状に形成され、室内の内壁面近傍において室内床面ＦＬに設置される。この際、分煙装置１は、側壁部１０の下端部と室内床面ＦＬとの間に滑り止めゴム１０１が挟まれるとともに、清浄部２０の上面と室内の壁面とがワイヤやＬ型アングルといった支持具２０１により接続されることにより、地震などの揺れによる分煙装置１の転倒を防止するように構成することが好ましい。
【００１５】
（側壁部）
側壁部１０は、図３に示すように、左右方向に対向する２つの側壁パネル１１，１２と、これら２つの側壁パネル１１，１２の後方一端を接続する後方の側壁パネル１３とを有し、これら３つの側壁パネルはいずれも距離Ｐ（図１参照）の長さに形成されて、その横断面がコの字形状を形成するように連結されている。ここでの距離Ｐの長さ（上下方向高さ）は、成人、主に成人男性の平均身長より長く形成することが好ましい。側壁部１０は、後方の側壁パネル１３に対向する前方の側壁パネルとしてのドア１４及び遮蔽パネル１５を有し、側壁パネル１１〜１３、ドア１４、及び遮蔽パネル１５によって、上面及び底面が開口された直方体箱状に構成されて、その内部に喫煙空間を画成する。この喫煙空間内には、後方の側壁パネル１３と接するように灰皿１６が設けられると共に、後述する第１案内部１７１及び第２案内部１７２が設けられる。なお、本実施形態においては、側壁部１０は、上下が開口した略直方体状に形成されているがこれに限定するものではなく、円筒形状などでもよく、筒状に構成されていれば良い。
【００１６】
側壁パネル１１〜１３のそれぞれは、互いに着脱自在な上方パネル及び下方パネルからなり、上下２つに分割可能に構成されている。具体的には、図１、図２及び図４に示すように、側壁パネル１１は上方パネル１１ａと下方パネル１１ｂとに分かれ、側壁パネル１２は上方パネル１２ａと下方パネル１２ｂとに分かれ、側壁パネル１３は上方パネル１３ａと下方パネル１３ｂとに分かれて、それぞれ上下のパネル間で互いに連結されている。この連結方法は適宜であるが、例えば凹部と凸部などの互いに嵌合ずる嵌合部を上下のパネルそれぞれに設けて連結する手法や、連結面を階段状にしてネジなどの連結部材を用いて連結する手法などが挙げられる。このように側壁パネル１１〜１３が上下に分割可能に連結されることにより、成人の平均身長より長い側壁パネル１１〜１３を短く分割することができ、住宅のドアなどの比較的小さな搬入口から搬入することが極めて容易となる。また、これにより分煙装置１を住宅の室内において組み立てることも可能となる。
【００１７】
また、側壁部１１，１２は、図２及び図４に示すように、その上方パネル１１ａ，１２ａにそれぞれ透明板１８が嵌め込まれており、喫煙者が分煙装置１の喫煙空間内にいる状態において外部を視認可能にされている。透明板１８は光透過性を有する板状部材又はシート状部材であることが好ましく、例えばガラスや、ポリカーボネート、ポリエチレンテレフタレート、ポリスチレン、ポリ塩化ビニル等の樹脂材料が挙げられる。なお、側壁パネル１１〜１３は、喫煙空間を画成可能な板状部材であればどのようなものを用いてもよいが、重量と耐久性との観点から、アルミ複合板を用いることが好ましい。
【００１８】
ドア１４は、図１に示すように、枠体１４０、透明板１４１、蝶番１４２及び１４３、ドアハンドル１４４を有して、その上下方向長さが距離Ｃだけ喫煙空間の前方を覆うように形成される。枠体１４０は、蝶番１４２及び１４３によってその左右方向一端が、側壁パネル１２の前方一端に接続された枠状の部材であり、左右方向他端側にドアハンドル１４４が設けられる。また、枠体１４０は、距離Ｏだけ室内床面ＦＬと離間して設けられており、これによりドア１４下方に開口が形成されて喫煙空間が外部と連通する。透明板１４１は、光透過性を有する板状部材であり、枠体１４０に嵌め込まれる。なお、透明板１４１は、透明板１８と同様に光透過性を有する部材であればよく、コストの観点から透明板１８と同一部材を用いることが好ましい。このドア１４によって、側壁部１０の前方が開放されて喫煙者が喫煙空間内に出入り可能となる。
【００１９】
遮蔽部１５は、その上下方向長さが枠体１４０の上端から距離Ｄの長さに形成され、その左右方向両端が２つの側壁パネル１１，１２の前方一端に接続される。遮蔽部１５は側壁パネル１１〜１３と同一部材とすることが好ましい。
【００２０】
（清浄部）
【００２１】
清浄部２０は、図４及び図５に示すように、直方体箱状に構成された内部に清浄空間を画成し、清浄空間内に送風部２１及びフィルタ部２２を収容する。清浄部２０の底面には、排気口２０ａ及び吸気口２０ｂが設けられる。清浄部２０は、その底面が側壁部１０の上面（天井面）を構成するように側壁部１０の上方に配置され、したがって、分煙装置１において、清浄部２０の底面及び側壁部１０の内壁面によって下方に開口した喫煙空間が画成される。
【００２２】
喫煙空間は、排気口２０ａ及び吸気口２０ｂによって清浄空間と連通される。送風部２１は、清浄空間内の空気を吸引して排気口２０ａから喫煙空間へ下方に送風するものであり、本実施形態においてはクロスフローファンとして構成される。フィルタ部２２は、送風部２１により清浄空間が降圧されることにより吸気口２０ｂを介して喫煙空間から吸引される空気をろ過して清浄し、清浄された空気は排気口２０ａによって下方の清浄空間に排出される。排気口２０ａ及び吸気口２０ｂは、水平方向、具体的には分煙装置１の左右方向に互いに異なる位置に形成される。
【００２３】
図３及び図４に示すように、側壁部１０には、排気口２０ａから排出された空気を水平方向における吸気口２０ｂ側へ案内する第１案内部１７１と、第１案内部１７１により案内された空気を吸気口２０ｂへ案内する第２案内部１７２とが設けられる。
【００２４】
第１案内部１７１は、排気口２０ａの下方に位置するとともに、図３に示すように側壁部１０の前後方向全域に亘って設けられ、直交部１７１ａと傾斜部１７１ｂとを有する。直交部１７１ａは、排気口２０ａの排出方向に直交する方向、即ち水平方向に伸びる平面として形成される。傾斜部１７１ｂは、一端が側壁部１０の内壁、具体的には側壁パネル１２に接続され、他端が直交部１７１ａに接続され、水平方向に対して他端が下方に位置するように傾斜する平面として形成される。なお、第１案内部１７１は、直交部１７１ａの上面が遮蔽部１５の下端より上方となるように設けられる。これによって、ドア１４が操作されて側壁部１０の前方が開放された場合に、分煙装置１の外部へ流出する排気口２０ｂからの排気が低減される。
【００２５】
第２案内部１７２は、吸気口２０ｂの吸引方向に直交する方向、即ち水平方向に伸びる平面として形成され、一端が側壁部１０の内壁において第１案内部１７１と対向する位置、具体的には側壁パネル１１に接続される。なお、第２案内部１７２は、第１案内部１７１の直交部１７１ａより上方に位置するように、具体的には第２案内部１７２の上面が直交部１７１ａの上面より上方に位置するように設けられる。
【００２６】
第１案内部１７１及び第２案内部１７２によれば、清浄部２０から排出された空気を再度清浄部２０に吸引するように分煙装置１の上方で空気を循環させ、フィルタ部２２による清浄能力を向上させることができる。また、第１案内部１７１を第２案内部１７２の直交部１７２ａより上方とすることによって、吸気口２０ｂの空気の吸引力が向上し、延いては、第１案内部１７１により案内された空気の多くを吸気口２０ｂへ案内することができるとともに、排気口２０ａより排出された空気のうち、喫煙空間の下方へ向かう空気を低減することができる。
【００２７】
（送風部及びフィルタ部）
次に、送風部及びフィルタ部の構成について詳細に説明する。図６は、清浄部が備える送風部の構成を示す概略斜視図である。図７は、清浄部が備えるフィルタ部の構成を示す概略斜視図である。
【００２８】
送風部２１は、図６に示すように、クロスフローファンであり、長尺の柱体状に形成され、送風口２１１及び吸入口２１２が設けられたケーシング２１０と、ケーシング２１０に収納され、図示しないモータにより回転駆動されるランナ２１３とを備える。ランナ２１３は、回転駆動されることによって吸入口２１２からケーシング２１０外部の空気を吸入し、吸入した空気を喫煙空間に送風する。送風部２１は、送風口２１１が排気口２０ａに面するように、清浄部２０内においてその底面に載置され、この際、吸入口２１２が清浄空間内に向けられるようになっている。これによって、清浄空間の空気が排出されて清浄空間内が降圧される。
【００２９】
フィルタ部２２は、図７に示すように、上面が開口された直方体箱状に形成された収容部２２０と、収容部２２０に収容されたＨＥＰＡ（Ｈｉｇｈ  Ｅｆｆｉｃｉｅｎｃｙ  Ａｉｒ）フィルタ２２９とを備える。収容部２２０には、その底面の中央近傍領域において所定の開口率となるようにパンチング加工された開口部２２０ａが形成される。
【００３０】
また、収容部２２０の底面には、その一辺と平行する可動軸を有する蝶番の羽の一方が固定され、この蝶番の他方の羽は側壁部１０の内壁、具体的には側壁パネル１１に固定される。この構成によれば、収容部２２０は、吸気口２０ａの下方から清浄空間内に出し入れ可能となり、したがって、ＨＥＰＡフィルタ２２９が交換可能となる。なお、蝶番が固定された側の収容部２２０の壁部に対向する壁部２２０ｂは、他の３つの壁部と比較してその高さが低く形成されており、これによって、ＨＥＰＡフィルタ２２９の交換が容易となる。
【００３１】
更に、収容部２２０は、その底面が、蝶番が固定された側の辺に対向する辺から所定距離だけ外面に延展する取付け部２２１を有し、この取付け部２２１には取付ネジを取り付けるための孔２２１ａが設けられる。この取付け部２２１によれば、収容部２２０が清浄空間に挿入されて取付け部２２１が清浄部２０の底面に接した状態で取付ネジによるネジ止めがなされ、収容部２２０が固定される。
【００３２】
以上に説明した本実施形態に係る分煙装置１よれば、喫煙により汚染された空気を清浄部２０により清浄することにより室内に汚染された空気が漏出することを防止できると共に、側壁部１０及びドア１４に透明板１８，１４１が設けられているため、分煙装置１の外部の状況を喫煙者が視認することができる。また、成人の平均身長より上下方向長さが長い側壁部パネル１１〜１３が、上下方向に分割可能に構成されているため、これらを室内に容易に持ち込むことができ、延いては室内において分煙装置１を組み立てることが可能となる。
【００３３】
また、本実施形態においては、側壁部１０を上下方向に２分割可能に構成したが、これに限定されるものではなく、少なくとも上下方向長さが小さくなるように複数に分割されていればよく、更に前後左右方向にも分割可能にしてもよい。これは透明板１８、ドア１４においても同様である。更に、側壁部１０を全て光透過性を有する部材により構成するようにしてもよい。また、両側壁パネル１１，１２を補強する目的で、ドア１４の下方において側壁パネル１１の前方側下端と、側壁パネル１２の前方側下端とを接続する補強板を設けるようにしてもよい。
【００３４】
本発明は、その要旨または主要な特徴から逸脱することなく、他の様々な形で実施することができる。そのため、前述の実施形態は、あらゆる点で単なる例示に過ぎず、限定的に解釈してはならない。本発明の範囲は、特許請求の範囲によって示すものであって、明細書本文には、何ら拘束されない。更に、特許請求の範囲の均等範囲に属する全ての変形、様々な改良、代替および改質は、全て本発明の範囲内のものである。
【符号の説明】
【００３５】
１  分煙装置
１０  側壁部
１１，１２  側壁パネル（一対の側面パネル）
１１ａ，１２ａ  上方パネル（上方部分）
１１ｂ，１２ｂ  下方パネル（下方部分）
１３  側壁パネル（背面パネル）
１４  ドア
１８  透明板（光透過部材）
２０  清浄部
【図１】
2019090564.tif 000003
【図２】
2019090564.tif 000004
【図３】
2019090564.tif 000005
【図４】
2019090564.tif 000006
【図５】
2019090564.tif 000007
【図６】
2019090564.tif 000008
【図７】
2019090564.tif 000009